(57)【要約】【課題】本発明は、無線制御可能な感知装置及びそれを応用した感知装置モジュールを提供することを課題とする。【解決手段】本発明は、無線制御可能な感知装置であり、感知装置１は、指令送受信ユニット１１と、少なくとも一つの感知ユニット１２を備える。前記指令送受信ユニット１１は指令信号を無線で受信する。前記少なくとも一つの感知ユニット１２は前記指令信号に基づいて、感知ユニットの感知パラメーターを調整する。好ましくは、前記感知装置１は、前記指令信号を送信するための制御装置を更に備える。更にまた、本発明の感知装置モジュールは、前記の無線制御可能な感知装置を複数備え、それら複数の感知装置は前記指令信号を互いに転送することを特徴とする。【選択図】図１
2015070604.tif 000002
【特許請求の範囲】
【請求項１】
指令信号を無線で受信する指令送受信ユニットと、
少なくとも一つの感知ユニットとを備え、
前記少なくとも一つの感知ユニットは前記指令信号に基づいて、前記少なくとも一つの感知ユニットの感知パラメーターを調整することを特徴とする無線制御可能な感知装置。
【請求項２】
前記指令信号を送信する制御装置を更に備えることを特徴とする請求項１に記載の無線制御可能な感知装置。
【請求項３】
前記指令送受信ユニットは、パラメーター信号、或は環境信号を前記制御装置に送信することで前記制御装置の表示パネルに調整後の前記感知パラメーターまたは環境メッセージを表示させることを特徴とする請求項２に記載の無線制御可能な感知装置。
【請求項４】
前記環境メッセージは、前記感知装置の位置情報、前記感知装置の感知状態、或は前記感知装置のその他の状態であることを特徴とする請求項３に記載の無線制御可能な感知装置。
【請求項５】
前記少なくとも一つの感知ユニットは、熱感知器、赤外線感知器、マイクロ波感知器、超音波感知器、光学感知器、或は機械接触感知器から成ることを特徴とする請求項１に記載の無線制御可能な感知装置。
【請求項６】
前記感知パラメーターは、応答時間、感知時間間隔、感度、感知範囲、或は感知角度であることを特徴とする請求項１に記載の無線制御可能な感知装置。
【請求項７】
光源を更に備え、
前記光源は前記少なくとも一つの感知ユニットに電気的に接続され、前記光源は前記少なくとも一つの感知ユニットによりその状態を調整されることを特徴とする請求項１に記載の無線制御可能な感知装置。
【請求項８】
前記少なくとも一つの感知ユニットに電気的に接続される状態表示ユニットを更に備えることを特徴とする請求項１に記載の無線制御可能な感知装置。
【請求項９】
複数の感知装置を備え、
各前記感知装置は請求項１から請求項８のいずれかに記載の無線制御可能な感知装置であり、各前記感知装置は前記指令信号を互いに転送することを特徴とする無線制御可能な感知装置モジュール。
【発明の詳細な説明】
【技術分野】
【０００１】
本発明は無線制御可能な感知装置及びそれを応用した感知装置モジュールに関するものである。
【背景技術】
【０００２】
従来の感知装置は、主に訪問者の通知、照明、アクセス制御、或いは管理などに使われている。従来の感知装置は、多くの場合、少なくとも一つの手動制御ノブを備えており、それは例えば、露出したノブ、或はネジである。ノブやネジを手動で回すことによって、感知装置の作動時間、感度、或は計時状態などの制御パラメーターを調整することができる。しかしながら、このような感知装置の大半は、特定のツール（例えば、ドライバー）によって、手動制御ノブを調整しなければならず、且つ、ユーザが操作しやすいように、上記の手動制御ノブの一部を露出させなければならない。つまり、部材の一部を露出させる構造は、防水設計が難く、屋外設置にも不利である（取付位置が制限される）。また、従来の手動制御ノブの調整は、ユーザの触感とノブの目盛りだけを頼りに行わなければならない。そのため、精確な調整ができず、直感的な操作を行うことが困難であるという印象をユーザに与えるものであった。
【０００３】
そのため、手動制御を必要とせず、取付位置の自由度が高く、制御方式がより直感的で分かりやすい感知装置を如何にして提供するかが、この技術分野において、早急に解決しなければならない問題の一つとなっている。
【発明の概要】
【発明が解決しようとする課題】
【０００４】
上記問題に鑑み、本発明の主な目的は、無線制御可能な感知装置及びそれを応用した感知装置モジュールを提供することを課題とする。
【課題を解決するための手段】
【０００５】
上記目的を達成するために、本発明は、無線制御可能な感知装置を提供する。
【０００６】
即ち、本発明の感知装置は、指令送受信ユニットと少なくとも一つの感知ユニットを備える。指令送受信ユニットは指令信号を無線で受信する。次に、少なくとも一つの感知ユニットは指令信号を受信し、指令信号に基づいて、少なくとも一つの感知ユニットの感知パラメーターを調整する。
【０００７】
本発明の好ましい一実施例において、前記感知装置は、指令信号を送信する制御装置を更に備える。
【０００８】
本発明の好ましい一実施例において、前記指令送受信ユニットは、パラメーター信号、或は環境信号を前記制御装置に送信することで、前記制御装置の表示パネルに調整後の前記感知パラメーターまたは環境メッセージを表示させる。
本発明の好ましい一実施例において、前記環境メッセージは、前記感知装置の位置情報、前記感知装置の感知状態、或は前記感知装置のその他の状態である。
本発明の好ましい一実施例において、前記少なくとも一つの感知ユニットは、熱感知器、赤外線感知器、マイクロ波感知器、超音波感知器、光学感知器、或は機械接触感知器から成る。
本発明の好ましい一実施例において、前記感知パラメーターは、応答時間、感知時間間隔、感度、感知範囲、或は感知角度である。
【０００９】
本発明の好ましい一実施例において、感知装置は、光源を更に含み、前記光源は前記少なくとも一つの感知ユニットに電気的に接続され、前記光源は前記少なくとも一つの感知ユニットによりその状態を調整される。
【００１０】
本発明の好ましい一実施例において、感知装置は、前記少なくとも一つの感知ユニットに電気的に接続される状態表示ユニットを更に備える。
【００１１】
更に、前記目的を達成するために、本発明は、無線制御可能な感知装置モジュールを提供する。
本発明に係る無線制御可能な感知装置モジュールは、前記したいずれかの無線制御可能な感知装置を複数備え、前記各感知装置は前記指令信号を互いに転送することを特徴とする。
【発明の効果】
【００１２】
上述したように、本発明に基づいた無線制御可能な感知装置は、手動制御を必要とせず、取付位置がより自由で、制御方式がより直感的で分かりやすいという長所を有する。また、その他の実施例において、本発明は、無線制御可能な感知装置モジュールを更に提供し、当該感知装置モジュールは複数の前記感知装置を備え、各感知装置は指令信号を互いに転送することができる。
【図面の簡単な説明】
【００１３】
【図１】本発明に係る無線制御可能な感知装置のシステム構造図である。
【図２】本発明に係る無線制御可能な感知装置モジュールの応用概略図である。
【発明を実施するための形態】
【００１４】
関連する図面を参照しながら、本発明の好ましい実施例に係る無線制御可能な感知装置及びそれを応用した感知装置モジュールを以下の通りに説明し、このうち同じ部材は同じ符号を付して説明する。
【実施例】
【００１５】
まず、図１を参照されたい。図１は本発明に係る無線制御可能な感知装置のシステム構造図である。
【００１６】
本発明に基づいた感知装置１は少なくとも、指令送受信ユニット１１と少なくとも一つの感知ユニット１２を備える。
【００１７】
本発明に基づいた無線制御可能な感知装置１は、制御装置（図示されない）を更に備え、制御装置は感知装置１に指令信号を送信するために用いられる。上記の制御装置は電子装置であり、この電子装置は、感知装置１の感知パラメーターと環境メッセージを表示するために、表示画面を備える。制御装置は、例えばスマートフォンであり、スマートフォンにアプリケーションプログラムをインストールすることによって、スマートフォンを感知装置１の制御装置として使用することができる。
【００１８】
仮に、感知装置１を照明制御の分野に応用した場合には、感知装置１は光源１４を更に備える。光源１４は感知ユニット１２に電気的に接続され、且つ感知ユニット１２によってその状態が調整される。例えば、感知ユニット１２の検出範囲に物体が入ると、光源１４はスイッチオンされる。
【００１９】
ユーザに感知装置１の状態を迅速且つ直感的に判断させるため、感知装置１は状態表示ユニット１３を更に備える。状態表示ユニット１３は少なくとも一つの感知ユニット１２に電気的に接続され、且つ異なるカラーの着色光で感知装置１の状態を表示することができる。例えば、状態表示ユニット１３が赤光を点滅した場合は、感知ユニット１２が検出中であることを表示し、状態表示ユニット１３が緑光を示した場合は、指令送受信ユニット１１と制御装置が接続（交信）状態であることを表示する。
【００２０】
詳しく言えば、指令送受信ユニット１１は少なくとも一つの感知ユニット１２に電気的に接続される。指令送受信ユニット１１は指令信号を無線で受信し、指令信号を感知ユニット１２に送信する。次に、少なくとも一つの感知ユニット１２が指令信号を受信した場合には、指令信号に基づいて、少なくとも一つの感知ユニット１２の感知パラメーターが調整される。また、指令送受信ユニット１１は制御装置にパラメーター信号または環境信号を送信し、制御装置の表示パネルに調整後の感知パラメーターまたは環境メッセージを表示させることができる。よって、ユーザは調整後の数値化された感知パラメーターまたは環境メッセージを制御装置の表示パネルに表示させることができる。
【００２１】
簡単に言えば、上記の構成によって、ユーザは感知ユニット１２の感知パラメーターを手動で調整する必要がない。更に同時に、感知パラメーターの調整の詳細状況を数値化し、制御装置の表示パネルに表示することができ、ユーザは更に直感的に分かりやすく且つ精確に感知装置を必要な状態に調整することができる。更にまた、無線制御の方式が使用されるため、更に指令送受信ユニット１１を露出させることなく、感知装置１のハウジング内に取り付けることができる（言い換えれば、制御ノブや制御ユニットは露出する必要がない）。よって、感知装置の防水効果や防塵効果が従来の感知装置より優れ、且つ、感知装置の取付位置が特定な場所に限定されない。
【００２２】
一実施形態において、本発明は、二つ以上の感知ユニット１２を更に採用することができる。この場合、上記の「指令信号」は、特定の感知ユニット１２を選択し、且つ、選択された感知ユニット１２に対して感知パラメーターの調整を行うことを更に含める。
【００２３】
説明を補足すると、上記の「少なくとも一つの指令送受信ユニット１１は制御装置に調整後の感知パラメーターまたは環境メッセージを更に提供する」というプロセスは、すぐに実行しなければならないプロセスではない。つまり、感知パラメーターや環境メッセージは調整後に直ちに制御装置にフィードバックする必要がない。例えば、制御装置を操作する毎に、一つの感知パラメーターの要求信号或は環境メッセージの要求信号を指令送受信ユニット１１に送信することで、パラメーター信号を調整基準とする。
【００２４】
また、本実施例は異なるニーズに応じて、異なる種類の感知ユニット１２を合わせて配置することができる。例えば、熱感知器、赤外線感知器、マイクロ波感知器、超音波感知器、光学感知器、或は機械接触感知器など、本発明に応用されることが可能な感知ユニットは、いずれも本発明の感知装置１に応用することができる。
【００２５】
前記の「感知パラメーター」は、応答時間（光源１４が持続的にスイッチオンした時間）、感知時間間隔（感知ユニット１２が検出動作をオンにした時間間隔）、感度、感知範囲、或は感知角度などのパラメーターであるが、これらのパラメーターに限定されない。
【００２６】
前記の「環境メッセージ」は、感知装置の位置情報、感知装置の感知状態、或は感知装置のその他の状態などである。
【００２７】
次に、図２を参照されたい。図２は本発明に係る感知装置モジュールの応用概略図である。
【００２８】
本発明の前記感知装置１は、単独で使用する以外に、互いに接続して一つのネットワークを形成することが可能である。つまり、複数の感知装置１によって、一つの無線制御可能な感知装置モジュールを形成することができる。その場合、各感知装置は互いに指令信号を転送することができる。
【００２９】
例えば、いずれかの感知装置が指令信号を受信した後、隣接した少なくとも一つの感知装置に指令信号を転送し、指令信号を受信した感知装置は指令信号に基づいて感知パラメーターを調整する。
【００３０】
図２に示す如く、例えば、ユーザがネットワーク有効エリアの環境に入った場合（例えば、複数の感知装置を設置した自宅に入った場合）、ユーザは前記制御装置（例えば、スマートフォン）を使用して、感知装置１Ａ、１Ｂにそれぞれ一つの指令を送信する。例えば、感知装置１Ａを起動させる指令と、感知装置１Ｂを閉じさせる指令とを送信する。そして、感知装置１Ａが指令を受信した場合、感知装置１Ａは、隣接した感知装置にもう一つの指令信号を送信する。例えば、ユーザの位置情報を周辺の感知装置に転送し、それに対応する作動を生じさせる。同様に、感知装置１Ｂが指令信号を受信した場合、感知装置１Ｂも隣接した感知装置にもう一つの指令信号を送信する。
【００３１】
簡単に説明すると、ユーザが一つまたは一つ以上の感知装置を遠隔操作し、更に前記感知装置を通して、隣接した感知装置に間接的に指示することで、ユーザの居る環境でネットワークを形成させることができる。更に、各感知装置が互いにメッセージを交換することで、色々と高度な制御応用を行うことが可能である。例えば、人体の所在位置を感知することより、照明、エアコン、扉、窓、カーテン、テレビと蛇口などのさまざまな家庭用品を制御し、インテリジェントの制御、省エネ、或はホームセキュリティの目的を達成することができる。
【００３２】
上記をまとめると、感知装置内に指令送受信ユニット及び感知ユニットを配置することによって、手動制御を必要とせず、取付位置がより自由で、制御方式がより直感的で分かりやすい感知装置を提供することができる。また更に、複数の前記感知装置を接続することによって、感知装置モジュールを形成することができ、同じネットワークにおける感知装置を直接的にまたは間接的に制御する効果を達成させられる。
【００３３】
上記実施例は例示的なものであって、本発明を限定するためのものではない。本発明の技術的思想および範囲から逸脱することなく、行われる等価の修正または変更は、いずれも別紙の特許請求の範囲に含まれる。
【産業上の利用可能性】
【００３４】
本発明は以上の如く構成したため、手動制御を必要とせず、取付位置がより自由で、制御方式がより直感的で分かりやすく、無線制御可能な感知装置及びそれを応用した感知装置モジュールを提供し得るものである。
【符号の説明】
【００３５】
１、１Ａ、１Ｂ  感知装置
１１            指令送受信ユニット
１２            感知ユニット
１３            状態表示ユニット
１４            光源
【図１】
2015070604.tif 000003
【図２】
2015070604.tif 000004